(57)【特許請求の範囲】
【請求項１】
少なくとも、選定工程と染色前工程と染色工程とを備え、選定工程にて、染色する伐採前の立木を選定し、染色前工程にて、選定した伐採前の立木内部へ、立木が備える導管と連絡する、互いに独立した２つ以上の流入孔(1)(2) を設けるものであり、流入孔のうち、一部の流入孔を、他の流入孔と、立木上下の異なる位置に形成し、染色工程にて、外部より、流入孔毎に、異なる色の染液を注入し、上記導管の吸水力を利用して立木内部を染色する装飾木材の製造方法において、
上記の選定工程にて、モチの木の成木を選択し、
上記の染色前工程にて、立木の略横断面に沿って、立木の中央に上記の流入孔(1)(2)を通し、当該流入孔により、立木の横断面において、左右に区画された２つ領域について、夫々の領域に複数の分岐孔(10)(20)を配置すると共に、同じ領域に属する各分岐孔(10)(20)の基端同士については、流入孔(1)(2)の伸びる方向について間隔をあけて流入孔(1)(2)へ接続し、上記流入孔(1)(2)の左右の同じ領域に属する分岐孔(10)(20)同士は、平面視において、当該流入孔(1)(2)から、他の分岐孔(10)(20)又は流入孔(1)(2)と交差せずに、立木内部から木の表面側へ向け、全て異なる方向に真っ直ぐ伸びるものとし、
更に、上方の流入孔は、平面視において、下方の流入孔と異なる方向へ伸びるものとし、
切り出し工程にて、上記立木の地上から１０メートルを越えない箇所を切り出すことを特徴とする装飾木材の製造方法。
【請求項２】
少なくとも、選定工程と染色前工程と染色工程とを備え、選定工程にて、染色する伐採前の立木を選定し、染色前工程にて、選定した伐採前の立木内部へ、立木が備える導管と連絡する、互いに独立した２つ以上の流入孔(1)(2) を設けるものであり、流入孔のうち、一部の流入孔を、他の流入孔と、立木上下の異なる位置に形成し、染色工程にて、外部より、流入孔(1) (2) 毎に、異なる色の染液を注入し、上記導管の吸水力を利用して立木内部を染色する装飾木材の製造方法において、
上記の選定工程にて、モチの木の成木を選択し、
上記の染色前工程にて、立木の略横断面に沿って、立木の中央に上記の流入孔(1)(2)を通し、当該流入孔により、立木の横断面において、左右に区画された２つ領域について、夫々の領域に複数の分岐孔(10)(20)を配置すると共に、同じ領域に属する各分岐孔(10)(20)の基端同士については、流入孔(1)(2)の伸びる方向について間隔をあけて流入孔(1)(2)へ接続し、上記流入孔(1)(2)の左右の同じ領域に属する分岐孔(10)(20)同士は、平面視において、当該流入孔(1)(2)から、他の分岐孔(10)(20)又は流入孔(1)(2)と交差せずに、立木内部から木の表面側へ向け、全て異なる方向に真っ直ぐ伸びるものとし、
更に、上方の流入孔は、平面視において、下方の流入孔と異なる方向へ伸びるものとし、
切り出し工程にて、上記立木の地上から１０メートルを越える箇所を切り出すことを特徴とする装飾木材の製造方法。
【請求項３】
１つの流入孔(1) に、内径の大きさが異なる２種類以上の分枝孔(10)を設けて、略水平方向について分枝孔(10)(10)間の位置関係を、所望の模様の形成に応じて、調整したものであることを特徴とする請求項１又は２に記載の装飾木材の製造方法。
【発明の詳細な説明】
【０００１】
【発明の属する技術分野】
本願発明は、装飾木材の製造方法に関するものである。
【０００２】
【従来の技術】
近年、地場産業の発展を図るという目的から、木材の新規用途の開拓を強く押し進めようという気運が高まった。
【０００３】
木材という天然材料において、以前は、その表面から内部に至るまで、人工的に彩色が付されたものは皆無であった。例えば、木製の工芸材料では、加工後に表面に着色や上塗りを施すという装飾が施されているに過ぎず、材料そのものに調整された彩色が施されたものはなかったのである。
【０００４】
そのような中、一部の研究機関や林業従事者などの間で、間伐された樹木の利用の可能性や木材の付加価値を高めるべく、木材内部に染色を施す試みが活発になり始めている。現在開発が進められている木材の染色方法の中で、注目を集めているものは、立木を伐採せずに、立木の幹を穿孔して染液を注入し、その内部の染色を図るものである。
【０００５】
このような染色方法によって得られる木材の内部は、均等に単一色で染め上げられたものであり、また、上記染色方法で得た木材の表面をどのように削っても、木材に付された彩色が落ちることはなく、この点において、染色がなされていない木材との相違はある。しかし、例えば従来の加工後の木材表面の着色や上塗りにて得られた木製工芸品に比して、装飾上の優位性を備えるものではなく、単調で、木材に対する需要を高めるほど魅力あるものではなかった。
【０００６】
【発明が解決しようとする課題】
本願発明は、多色の彩色を木材の内部に付すことを可能として木材の装飾性を高めることによって、上記の課題の解決を図るものである。
【０００７】
【課題を解決するための手段】
本願の第１の発明は、少なくとも、選定工程と染色前工程と染色工程とを備え、選定工程にて、染色する伐採前の立木を選定し、染色前工程にて、選定した伐採前の立木内部へ、立木が備える導管と連絡する、互いに独立した２つ以上の流入孔１，２を設けるものであり、流入孔のうち、一部の流入孔を、他の流入孔と、立木上下の異なる位置に形成し、染色工程にて、外部より、流入孔１，２毎に、異なる色の染液を注入し、上記導管の吸水力を利用して立木内部を染色する装飾木材の製造方法について、次の構成を採る。
即ち、この方法では、上記の選定工程にて、モチの木の成木を選択し、上記の染色前工程にて、立木の略横断面に沿って、立木の中央に上記の流入孔１，２を通し、当該流入孔により、立木の横断面において、左右に区画された２つ領域について、夫々の領域に複数の分岐孔１０…１０，２０…２０を配置すると共に、同じ領域に属する各分岐孔１０…１０，２０…２０の基端同士については、流入孔１，２の伸びる方向について間隔をあけて流入孔１，２へ接続し、上記流入孔１，２の左右の同じ領域に属する分岐孔１０…１０，２０…２０同士は、平面視において、当該流入孔１，２から、他の分岐孔１０…１０，２０…２０又は流入孔１，２と交差せずに、立木内部から木の表面側へ向け、全て異なる方向に真っ直ぐ伸びるものとする。更に、上方の流入孔は、平面視において、下方の流入孔と異なる方向伸びるものとし、切り出し工程にて、上記立木の地上から１０メートルを越えない箇所を切り出すものである。
【０００８】
尚、ここでいう彩色には有彩色のみならず、無彩色を含む。また、グラデーションとは、色分けされた２色間の境界が曖昧になったもの、即ち「ぼかし」をいう。具体的には、異なる２色の間において一方の色から他方の色へ徐々に変化する両色の中間階調の部分をいう。
【０００９】
本願の第２の発明は、少なくとも、選定工程と染色前工程と染色工程とを備え、選定工程にて、染色する伐採前の立木を選定し、染色前工程にて、選定した伐採前の立木内部へ、立木が備える導管と連絡する、互いに独立した２つ以上の流入孔１，２を設けるものであり、流入孔のうち、一部の流入孔を、他の流入孔と、立木上下の異なる位置に形成し、染色工程にて、外部より、流入孔１，２ 毎に、異なる色の染液を注入し、上記導管の吸水力を利用して立木内部を染色する装飾木材の製造方法について、次の構成を採る。
即ち、上記の選定工程にて、モチの木の成木を選択し、上記の染色前工程にて、立木の略横断面に沿って、立木の中央に上記の流入孔１，２を通し、当該流入孔により、立木の横断面において、左右に区画された２つ領域について、夫々の領域に複数の分岐孔１０…１０，２０…２０を配置すると共に、同じ領域に属する各分岐孔１０…１０，２０…２０の基端同士については、流入孔１，２の伸びる方向について間隔をあけて流入孔１，２へ接続し、上記流入孔１，２の左右の同じ領域に属する分岐孔１０…１０，２０…２０同士は、平面視において、当該流入孔１，２から、他の分岐孔１０…１０，２０…２０又は流入孔１，２と交差せずに、立木内部から木の表面側へ向け、全て異なる方向に真っ直ぐ伸びるものとする。更に、上方の流入孔は、平面視において、下方の流入孔と異なる方向伸びるものとし、切り出し工程にて、上記立木の地上から１０メートルを越える箇所を切り出すものである。
【０００１０】
本願の第３の発明は、上記本願第１又は第２の発明にあって、１つの流入孔１に、内径の大きさが異なる２種類以上の分枝孔１０，１０を設け、略水平方向について分枝孔１０，１０間の位置関係を、所望の模様の形成に応じ、調整したものである。
【００１１】
【発明の実施の形態】
以下、本願発明の実施の形態を説明する。図１及び図２（Ａ）へ、本願発明の一実施の形態を示す。図１は本願発明の一実施の形態に係る方法が実施される生立木１００の略全体斜視図であり、図２（Ａ）は図１の下方位置ａにおける生立木１００の略横断面図である。尚図２（Ａ）において付すべきハッチングは、図面の煩雑を避けるため、省略する。また図１において、Ｒは生立木１００の根側（下方）を示し、Ｋは生立木１００の梢側（上方）を示す。
【００１２】
本願発明は、机や箪笥等の家具、建材の化粧面、木製食器、硯箱・オルゴール・宝石箱・ブローチ・櫛等の身の回り品、筆・ボールペン・万年筆などの筆記具の柄、釣り竿や疑似餌などの釣り具、カヌーなどの舟材料、独楽・積木などの木製玩具、額・置物等の室内装飾品、彫刻材料等の美術工芸材料などに、適した装飾性の高い木材の提供を可能とする。
【００１３】
具体的には、本願発明は、表面から内部に至るまで、多色に染色された木材を提供することが可能な、木材の染色方法であり、次の工程を備える。即ち、この方法は、伐採前の立木のうち、染色により所望の模様ができる走り方をした導管を備える立木を、樹皮表面の状態から選定する選定工程と、選定した立木内部へ互いに独立した２つ以上の流入孔１，２を形成する染色前工程と、形成した流入孔１，２毎に異なる色の染液を注入する染色工程と、立木内の所望の模様が形成された部位から木材を切り出す切出し工程とにて構成される。以下、上記の各工程について、順に説明する。尚、図１及び図２は、上記の染色前工程と染色工程の説明に用いる。
【００１４】
先ず選定工程について説明する。選定工程は、伐採前の生立木について行われ、染色を施す樹木種の選定と、特定種の樹木について内部の導管の走り方の判定による個体の選定とよりなる。
【００１５】
上記樹木種の選定は、どの部位をとっても所望の模様が得られないということが予め分かっている樹木を除外して、所望の模様が確実に得られる樹木種を決定する作業である。上記個体の選定は、樹木種の選定により実施を予定する立木について現地で実際に樹木表面を観察し、染色する立木を選択する作業である。立木内の導管の走り方やその乱れは、樹皮表面の気孔の多少によって判別することが可能である。具体的には、生立木の樹皮表面を見ると、気孔（穴）が多いものと少ないものとがあり、気孔が多い部位は、伸長方向と異なる方向に大きく曲がって伸びる導管を多く備えるものであり、逆に気孔があまり見られない部位は、根側から梢側に向けて殆ど真っ直ぐに細かな導管が伸びるものである。個体の選定は、このような樹木の性質を利用して行う。
【００１６】
次に、染色前工程について説明する。これは、互いに独立した複数の流入孔１，２を、伐採前の生立木の幹表面から幹内部に形成する工程である。流入孔１，２は、電動ドリル等の周知の穿孔手段を用いて形成する。染色前工程において、立木内部に互いに独立した２つ以上の流入孔１，２を形成する。この実施の形態では、図１及び図２（Ａ）へ示す通り、複数の流入孔のうち、一部の流入孔１を、他の流入孔２と、立木上下の異なる位置に形成する。図２（Ａ）は、下方の流入孔１が設けられた位置ａでの立木１００の略横断面を示し、破線によりその上方位置ｂの流入孔２を重ねて示すものである。上下の流入孔１，２の夫々に、複数の分枝孔１０，２０を設ける。分枝孔１０，２０は、図示の通り、流入孔１，２から枝分かれして立木の表面側に放射状に伸びる。但し、流入孔１，２に対する分枝孔１０，２０の配設位置は、図示したものに限定するものではなく、染色の必要に応じて変更する。更に、１つの流入孔１（２）が備える分枝孔１０…１０（２０…２０）の中に、内径が他と異なるものを形成しておけば、このように径が異なる分枝孔１０…１０（２０…２０）を設けることによって、染色する模様の調子を調整することができる。また、分枝孔１０…１０（２０…２０）同士の配設間隔も均一にするのではなく、大小設定するようにすれば、染色する模様のより一層細かな調整が可能となる。また、流入孔形成時、上方の流入孔２と下方の流入孔１との略水平方向についての位置関係を調整して形成する。この調整は、グラデーションの有無或いは所望のグラデーション量に従って行う。幹の径が約２０〜３０センチメートルの樹木の場合、流入孔１，２の内径は、約２〜３センチメートルが好ましく、各分枝孔１０，２０の内径は、約２〜３センチメートルの範囲に収まるようにするのが適当である。下方の流入孔１は地面から約２５センチメートルより上方に設けるのが適当である。樹木によって多少の差はあるが、根に余り近いと、幹内部に粘りが生じていて染液の注入に好ましくないからである。逆に地上から余り上方になると作業が行い難いので作業者の手の届く範囲を考慮して形成する。通常、地面から約０．５メートルの高さに流入孔１をに設けるのが最適である。上方の流入孔２は、下方の流入孔１から約１０センチメートル以上上方に設ける。上記よりも流入孔２が下方の流入孔１に近いと、両流入孔１，２双方の染液が混じって色が混濁するからである。また流入孔２について、地上から余り上方になると上記と同様作業が行い難くなるので手の届く範囲を考慮して形成する。通常流入孔２は、下方の流入孔１から約１０センチメートル乃至５０センチメートルの範囲に設けるのが好ましく、特に下方の流入孔１から約３０センチメートル上方に流入孔２を設けるのが適当である。但しこのような数値は、一般的なものであり、樹木の種類や染色の調整の必要に応じて変更可能である。
【００１７】
染色工程について説明する。この染色工程において、先ず所望の色彩の染液即ち、所望の色の染料を溶かした液体を色毎に複数用意する。図１へ示すように、夫々の色毎にその染液を収容するポリタンク等の容器５，６を用意する。そして、目的とする立木１００付近に載置台７を設けて、この載置台７の上に、染液を収容した上記各容器５，６を設置する。容器５，６には、内容物を排出することが可能な蛇口を持つものを用意しておく。この蛇口にホース３，４を接続する。ホース３，４の先には、立木１００の流入孔へ挿入可能な挿入部３ａ，４ａが設けられている。挿入部３ａ，４ａは弾力性を有する周知の素材にて形成された漏斗状のものであり、流入孔１，２へ装着される。
【００１８】
流入孔１，２の注入する口を除き、流入孔１，２の他方の口や、各分枝孔１０，２０の立木１００表面に現れる口は、夫々栓１１，２１をして塞ぐ。そして、上記挿入部３ａ，４ａを、流入孔１，２の口に嵌め、容器５，６の蛇口を開けて色の異なる染液を、夫々の流入孔１，２へ注入する。葉を備えた生立木は、根側から梢側即ち下方から上方に向けて、吸水能力を備える。従って、上記の構成を採ることにより、流入孔１，２の夫々に異なった彩色の染液を注入することによって、立木が備える導管から、染液が吸い上げられ、立木内部を多色に染め上げて行く。通常、約２０メートルの立木で約６０〜８０リットル吸収する。染め上げるのに必要な染色期間は、気候や樹木の吸水力によっても異なるが、２日以上要し、約５０日を超えると染色が進みすぎて色が悪くなり好ましくない。通常染液注入後３日から３０日の間を染色期間とするのが適当である。特に、温暖で天候が良い時期は、約２週間程度の染色期間を経て、最後の切出し工程を遂行するものとするが望ましい。但し、この染色期間は、対象となる樹木種や個体差、気候によって、変更可能である。なお、上記の染色期間が経過するまで、即ち次の切出し工程を開始するまでは、立木の葉を付けた状態にしておく。枝払いして葉を取り除くと吸水力が低下するからである。
【００１９】
切出し工程について説明する。この工程は、最後の工程であり、上記染色期間を経た立木１００を伐採し、その内部から所望の木材を切り出す工程である。即ち、この切出し工程は、樹木内部の所望の模様が発現している部位を選ぶ工程である。この切出し工程の開始は、染色工程における染色期間の経過後、ホース３，４を樹木から外し、速やかに後立木を伐採すると共に、直ちに枝払いを行うものである。ホース３，４を外した後も、葉を付けた状態にしておくと染液の吸収が進み、染色が進み過ぎて、彩度が低下するからである。
【００２０】
上記各工程を順次遂行によって木材を染色すると、その結果、得られる木材は装飾性が著しく向上したものである。
【００２１】
図１及び図２（Ａ）へ示す実施の形態において、上下については、位置の異なる２つの流入孔１，２を形成するものを示したが、この他、互いに高さの異なる３つ以上の流入孔を形成して実施することも可能であり、３色以上の染色を行う場合は特に有効である（図示しない）。この他、流入孔１，２は、上下について、同一の高さに設けるものとし、流入孔１，２同士は交差せず、また、各分枝孔１０，２０は、交差しないようにして、多色の染色を行うようにしても実施可能である（図２（Ｂ））。このような染色は、径の大きな樹木において、実施するのが好ましい。
【００２２】
次に、目的とする木材について、得られる装飾の種類に分けて説明すると共に、当該木材を得るための前述の各工程における作業・調整の具体的な内容について説明する。
【００２３】
図３（Ａ）〜（Ｄ）は、本願発明の実施即ち、既述の各工程を経ることによって、得ることが可能な多色染めの木材１０１を示している。染色状況によって木材１０１を分けると、グラデーションを発現させたもの（図３（Ａ））、多色がグラデーションを持たずに縞模様を呈するもの（図３（Ｂ））、一色の染液の顔料成分の分離にて色違いの部分を発現させたもの（図３（Ｃ））、更に、多色に彩られた模様の形状そのものがストライプ以外の変化に富んだもの（図３（Ｄ））がある。
【００２４】
図３（Ａ）に示すものは、グラデーションを備える木材１０１である。濃色で示す部分と淡色で示す部分とは、互いに異なる色で染色されている。また網掛けで示す部分は、濃色で示す部分と淡色で示す部分との２色のグラデーションである。例えば、濃色の部分を赤色で染色されたを赤色部１０２とし、淡色の部分を青色で染色された青色部１０４とすると、網掛け部分は紫色に発色するグラデーション部１０３である。尚、ここで、赤色・青色は、単なる例示であり、他の彩色に適宜変更可能である。図３（Ｂ）に示すものは、多色がグラデーションを持たずに縞模様を呈する木材１０１である。図３（Ｂ）中、斑点で示す領域は、木地部１０５であり、染色がなされていない木地の部分である。この図３（Ｂ）に示す木材１０１は、赤色部１０２と青色部１０４とは、木地部１０５を挟んで、完全に分離した状態で、樹木の伸長方向に伸びる。即ち、図３（Ａ）で示すようなグラデーション部１０３は持たない。図３（Ｃ）へ示すものは、染液中の顔料成分の分離現象を利用して個々の縞模様の個々のストライプについても、色の異なる部分を発現させたものである。例えば紫色の染液にて、ストライプを発現させたものについて、紫色部１０６から、分離した赤色成分と青色成分とにて夫々赤色部１０２と青色部１０４とを発現させたものである。図３（Ｃ）では、上記の紫色部１０６、赤色部１０２、青色部１０４とが発現した縞模様と、更に他の色が発現する他色部１０７と併存させてより装飾性を高めたものを示している。図３（Ｄ）へ示すものは、多色に彩られた模様の形状そのものがストライプ以外の変化に富んだ木材１０１である。図３（Ｄ）へ示す通り、この木材１０１は、導管の乱れを利用して発現させたものであり、既述の縞模様とは異なる奇抜な模様が発現している。例えば、この図３（Ｄ）に示すものでは、発現した、赤色部１０２、青色部１０４、木地部１０５、（赤・青以外の）他色部１０７の何れも、円弧か湾曲した縞模様を呈している。
【００２５】
上記各種の木材を得るのに、必要な実施方法についての説明に入る前に、本願発明の実施対象となる樹木種について説明する。モチの木のように、導管が幹の伸長方向に沿ってほぼ根側Ｒから梢側Ｋにほぼ真っ直ぐ伸びる部分を必ず備えるタイプの樹木（以下モチ型樹木と呼ぶ。）と、檜の木のように導管が木の伸長方向に沿うのみならず伸長方向と異なる方向即ち横方向にも伸びるタイプの樹木（以下檜型樹木と呼ぶ。）の何れを選定するかによって、後の工程に若干の相違があるので、この点注意すべきである。モチ型樹木としては、モチの木以外ものであっても上記の木質を備えるものであれば、これを含む。また、檜型樹木についても、檜以外のものであっても上記の木質を備えるものであれば、これを含む。檜型樹木として、檜以外ものに、アシビ、シズキ、スギなどがある。内部が淡色の樹木であれば、使用可能ある。但しスギの場合は、心材の占める部位が大きいので使用可能な部位が極めて制限される。先ず、図３（Ａ）に示すグラデーションのある木材１０１を得る場合について説明する。最初に、選定工程の樹木種の選定において、檜型樹木から最適なものを選定する。モチ型樹木の典型であるモチの木は、横方向への染液の浸透性は殆どなく、グラデーションの発現は望めないので、採用しない（モチの木以外のモチ型樹木を対象とする）。檜型樹木から個体の選定によって導管が樹木の伸長方向に真っ直ぐ伸び他の方向へ伸びていない部分を備えた個体を選定する。染色前工程において、両流入孔１，２は、上記の導管の横方向への乱れがない領域へ所望の模様を発現させることが可能な位置に設ける。
また染色前工程において、図１に示す上方の流入孔２とその分枝孔２０…２０と、下方の流入孔１とその分枝孔１０…１０とが、水平方向の各位置について重なる部分を極力なくすように、各孔を形成する。これは、以下の他の装飾の木材を得る場合も同様である。上下の各孔が水平方向について重なると、下方から吸い上げられてきた染液と上方の流入孔２から注入された染液とが位置ｂにて、同じ導管内で直接混じり合うので、このような状態を避けるためである。即ち、異なる色の染液が直接混じり合うと色が混濁して彩度が低下し美観が損なわれるからである。その上で、この図３（Ａ）で示すものを得る場合について、水平方向における分枝孔１０と分枝孔２０の間隔を、樹木種による横方向への浸透の進み具合によって、変更する。横方向への浸透の大きなものは、極力上記間隔を大きくし、浸透の小さいものは、間隔を狭くする。流入孔２から注入した染液と、流入孔１から注入され上方に吸い上げられてきた染液とが横方向（水平方向などの樹木の伸長方向と異なる方向）への浸透によって重なり、グラデーション部１０３を発現する。染液が導管から横方向へ滲み出すことによって染色された部位において、異なる色同士が重なると混濁せず、美しいグラテーションが得られる。染色工程後、切出し工程において、伐採した樹木について、図１の位置ｂより上方（梢側）の位置で、選定工程で選定した個体の導管の横方向への乱れが少ない部位にて、所望の模様が発現した木材を切り出す。
【００２６】
次に図３（Ｂ）へ示す多色間においてグラデーションを持たない木材１０１を得る場合について説明する。この場合、モチ型樹木を対象とするのが適当である。特にモチの木を採用すれば、選定工程において個体の選定は不要である。既述の通りモチの木であれば、その幹内は真っ直ぐ伸びる導管で占められた箇所が必ずあるからである。染色前工程において、流入孔２及びその分枝孔２０…２０と、下方の流入孔１及びその分枝孔１０…１０の、各位置の間隔は、水平方向について重ならないことを前提として、樹木の横方向への浸透力の大きさによって調整する。モチの木の場合、上記の間隔を極力狭くしておけば、色違いのストライプの間隔の狭い繊細な模様が得られる。染色工程後切り出し工程において、位置ｂよりも上方の位置から目的の木材１０１を切り出す。
【００２７】
図３（Ｃ）へ示す、染液成分の分離にて模様を発現させた木材１０１を得る場合について説明する。この場合、モチ型樹木が適切であり、とりわけモチの木を採用するのが望ましい。このような選定工程の後、染色工程において、色の分離が生じる染液を選んで注入する。例えば黄色の顔料と青色の顔料を成分とする緑の染液を注入すると、染色中に、緑色から、黄色と青色とが分離して夫々の色に樹木を染色する。この分離現象は、顔料分子の拡散速度の違いや、導管にある太い部分や細い部分を移動中に、細い部分を通り抜けることができない大きさを持った顔料分子と、そうでない分子との移動の差によって生じると考えられる。従って、このような分離が生じやすい染液を採用する。
【００２８】
切出し工程において切り出す部位は、他の彩色との関係で必要とする部位を切り出せばよい。分離して得た多色と、他の色に染色された部位とが併存したものを必要とする場合は、位置ｂよりも上方の位置を切り出せばよい。また、分離して得た多色と、他の色に染色された部位とを併存させたくない場合は、分離する染液を下方の流入孔１から注入し、染色工程後切出し工程において、位置ａと位置ｂとの間の部位から目的の木材１０１を切り出すか、当初より流入孔を１つだけ設け、染色工程後、その流入孔よりも上方の部位から、目的の木材１０１を切り出せばよい。
【００２９】
図３（Ｄ）に示す、配色と共に模様の形状に特徴がある木材１０１を得る場合について説明する。この場合も、選定工程において、モチ型樹木、とりわけモチの木を採用するのが、望ましい。これについては、前述のグラテーションが起こりやすい樹木は、繊細な模様を得るには不適切だからである。成長したモチの木では、根側Ｒにおいて、幹の内部が、上下に真っ直ぐ伸びる導管で占められているが、それでも、通常地上から約１０メートルを超えるあたりから上方では、導管が螺旋状に走るものとなっている。染色前工程及び染色工程を得た後、切出し工程において、樹木の上記の導管の乱れのある部位を切り出して、目的の木材１０１を得る。この種の木材１０１を得る場合、模様は、導管の走り方の面白さに負うところが大きいので、その模様の形態の完全なコントロールはできないが、発現する場所は、上述の通り、確実に知得することができる。
【００３０】
【発明の効果】
以上、本願の第１〜３の発明の実施により、木材について、内部から外部に至るまで、複数の色にて染められたものを得ることが可能となった。又このような木材を簡単に作成できるので、職人に高度の技量を要さず、作業者の養成期間も短くて済み、この点においても利点が大きい。
【００３１】
本願第３の発明の実施により、上記発明の効果に加えて、２色の配色比率や配色位置などの異なる所望の模様を得ることが可能となった。
【００３２】
特に、上記本願の各発明にあっては、樹木内部の各位置における特有の模様を生かして必要な染色がなされた工芸用の木材を得ることができる。
【００３３】
即ち、本願第１の発明の実施によって図３（Ｂ）に示す木材が得られ、本願第２の発明の実施によって図３（Ｄ）へ示す木材が得られた。
【図面の簡単な説明】
【図１】  本願発明の一実施の形態に係る立木の略全体斜視図である。
【図２】  （Ａ）は図１の位置ａにおける立木１００の略横断面図であり、（Ｂ）は他の実施の形態を示す略横断面図である。
【図３】  （Ａ）〜（Ｄ）は、夫々本願発明の実施によって得られる木材１０１の略斜視図である。
【符号の説明】
１，２ 流入孔
１０，２０ 分枝孔
【図１】
0004108859.tif 000002
【図２】
0004108859.tif 000003
【図３】
0004108859.tif 000004